(57)【特許請求の範囲】
【請求項１】
分岐水路の入口に配設した移動用のガイドレールと、該移動用のガイドレールに沿って昇降可能に配設した自動防塵機と、自動防塵機を引き上げる引き上げ装置とより構成した自動防塵装置において、移動用のガイドレールを、分岐水路の入口より自動防塵機を分岐水路の上方に沿って引き上げ可能なように湾曲して配設した湾曲部と、該湾曲部に連続する水平部とで構成したことを特徴とする自動防塵装置。
【発明の詳細な説明】
【０００１】
【発明の属する技術分野】
本発明は、自動防塵装置に関し、特に、河川、湖沼等より水を引き込む分岐水路の入口に設けられる自動防塵機が、冬季の凍結や、洪水時に大形の浮遊物体が衝突することによって、破損することを防止するとともに、分岐水路を取水・排水を切り替えて運用する導水路として使用することができるようにした自動防塵装置に関するものである。
【０００２】
【従来の技術】
従来、河川、湖沼等より水を引き込む場合、河川、湖沼側の水路（本明細書において、「水路」という。）に分岐水路を設け、この分岐水路の入口に自動防塵機を設置して、枯れた葦、広葉樹の落葉、人間が廃棄する空き缶、ペットボトル、その他のごみ等の塵埃（本明細書において、「塵埃」という。）が、取水中に混入しないようにしている。
【０００３】
ところで、従来から汎用されている塵埃除去用の自動防塵装置として、バースクリーンを備え、このバースクリーンに沿って移動するレーキによってバースクリーンにて捕捉した塵埃を掻き上げ、排出するようにした自動除塵機が採用されている。
【０００４】
この自動除塵機の場合、水路から掻き上げた塵埃は、処分場へ投棄するか、あるいは焼却等の処分を行う必要がある。
【０００５】
しかしながら、水路を流下する塵埃を水路から掻き上げずに、そのまま水路内を流下させるようにした場合、必要な水のみを取り入れることができる。
【０００６】
このような考え方に基づいて、本件出願人は、先に、水路を流下する塵埃を水路から掻き上げずに、そのまま水路内を流下させ、必要な水のみを取り入れることができるようにした、図３に示すような回転円盤式の自動防塵機を提案した。
【０００７】
【発明が解決しようとする課題】
ところで、自動防塵装置は、従来のバースクリーン方式であっても、また、本件出願人が提案した上記の回転円盤方式であっても、いずれも分岐水路の入口に固定して設置するようにしているので、自動防塵装置が、冬季の凍結や、洪水時に大形の浮遊物体が衝突することによって、破損するという問題があった。これは、特に、バースクリーン方式に比べて、冬季の凍結や、洪水時に大形の浮遊物体が衝突することによって破損し易い回転円盤方式の自動防塵装置の場合に顕著で、例えば、冬季の凍結に対処するために、冬季に取水する必要のない水路では、自動防塵装置の前面に遮蔽堰を設置して完全に水を遮断することも行われているが、遮蔽堰の設置、撤去に手数を要するものとなり、かつ冬季に取水する必要が生じても迅速に対応することができないという問題があった。
【０００８】
また、分岐水路を取水・排水を切り替えて運用する導水路として使用する場合、排水時に、分岐水路の入口に固定して設置した自動防塵装置が、排水抵抗となるとともに、取水時にポンプ場内に流入した塵埃を、排水と共に排出することができず、塵埃がポンプ場内に残留するという問題があった。
【０００９】
本発明は、上記の自動防塵装置の有する問題点に鑑み、分岐水路の入口に設けられる自動防塵機が、冬季の凍結や、洪水時に大形の浮遊物体が衝突することによって、破損することを防止するとともに、分岐水路を取水・排水を切り替えて運用する導水路として使用することができるようにした自動防塵装置を提供することを目的とする。
【００１０】
【課題を解決するための手段】
上記目的を達成するため、本発明の自動防塵装置は、分岐水路の入口に配設した移動用のガイドレールと、該移動用のガイドレールに沿って昇降可能に配設した自動防塵機と、自動防塵機を引き上げる引き上げ装置とより構成した自動防塵装置において、移動用のガイドレールを、分岐水路の入口より自動防塵機を分岐水路の上方に沿って引き上げ可能なように湾曲して配設した湾曲部と、該湾曲部に連続する水平部とで構成したことを特徴とする。
【００１１】
この自動防塵装置は、自動防塵機を、引き上げ装置により、分岐水路の入口に配設した移動用のガイドレールに沿って、引き上げることができるようにしているので、自動防塵機が、冬季の凍結や、洪水時に大形の浮遊物体が衝突することによって、破損するおそれがある場合には、事前に自動防塵機を分岐水路の入口から上方に引き上げるようにする。
また、分岐水路を取水・排水を切り替えて運用する導水路の排水側として使用する場合に、事前に自動防塵機を分岐水路の入口から上方に引き上げるようにする。
【００１２】
そして、移動用のガイドレールを、分岐水路の入口より自動防塵機を分岐水路の上方に沿って引き上げ可能なように湾曲した湾曲部と、該湾曲部に連続する水平部とで構成することにより、自動防塵機の引き上げ、再設置が簡易に行え、必要に応じて、自動防塵機の機種を容易に交換することができ、特に、自動防塵機を分岐水路の上方に沿う水平部に引き上げることにより、自動防塵機の保管を簡易に、かつ、安定して行うことができる。
【００１３】
【発明の実施の形態】
以下、本発明の自動防塵装置の実施の形態を図面に基づいて説明する。
【００１４】
図１に自動防塵装置の参考例を示す。
この自動防塵装置は、河川、湖沼等の水路１の一部に接続し、水路から取水できるようにして分岐水路２を形成する。
【００１５】
この分岐水路２は、所要容量の取水を可能とするための幅及び深さを備えるとともに、その入口には自動防塵機３を設置する。
【００１６】
この自動防塵機３には、水路１を流下する枯れた葦、広葉樹の落葉、人間が廃棄する空き缶、ペットボトル、その他のごみ等の塵埃を、水路から掻き上げずに、そのまま水路内を流下させ、必要な水のみを取り入れることができるようにした、図３に示すような回転円盤式の自動防塵機を採用することができる。
【００１７】
この自動防塵機３は、引き上げ可能としたフレーム３４に、多数の円板３２を所定の間隔をあけて回転軸３１に固定して構成した円筒状スクリーン３０を、隣接する円筒状スクリーン３０の円板３２，３２同士が重なり合うように複数ユニットを配設するとともに、各円筒状スクリーン３０の、円板３２を固定した回転軸３１を、フレーム３４に設けたモータ３３により回転駆動されるように構成されている。
そして、各円筒状スクリーン３０は、円筒状スクリーン３０の円板３２の外周面の移動方向が河川であればその流水方向と略同方向となるように、同一方向に回転（図３（ａ）の平面図において、左回転）させるようにする。
【００１８】
分岐水路２の入口には、自動防塵機３を引き上げ可能として所定位置に配設できるようにしてガイドレール４を配設する。
このガイドレール４は、本参考例では、分岐水路２の入口の互いに対向する内側面に鉛直方向に設置し、自動防塵機３のフレーム３４の両端部を鉛直方向に移動可能に支持するものである。
また、ガイドレール４は、自動防塵機３のフレーム３４の高さとほぼ等しくするか、あるいは自動防塵機３の引き上げ時、自動防塵機３が完全に分岐水路２の入口から離れる位置までの長さに形成する。
【００１９】
引き上げ装置５は、先端を自動防塵機３のフレーム３４に締結した索条５１を巻き上げドラム５０に巻き取るように構成し、索条５１の巻き取りにより自動防塵機３を分岐水路２の入口より吊り上げ、また巻き戻しにより吊り降ろすように構成しているが、この構成のものに限定されることはなく、他の任意の引き上げ機構を採用することができる。
なお、吊り上げた自動防塵機３を分岐水路の上部位置み保持できるように架台（図示省略）を設置することもできる。この場合、架台は、分岐水路２の入口に、バースクリーン方式等の他の種類の自動防塵機を代わりに設置する際の障害とならない位置に設置するようにする。
【００２０】
次に、この自動防塵装置の作用について説明する。
図１に示すように、分岐水路２の入口に設置された自動防塵機３を、自動防塵機３が、冬季の凍結や、洪水時に大形の浮遊物体が衝突することによって、破損するおそれがある場合、あるいは、分岐水路２を取水・排水を切り替えて運用する導水路の排水側として使用する場合に、分岐水路２の入口から上方に引き上げる。
この引き上げは、巻き上げドラム５０を駆動することにより、索条５１を巻き取り、これにより、自動防塵機３のフレーム３４をガイドレール４に沿って引き上げるようにする。そして、分岐水路２の水面上の所定位置まで引き上げた後、自動防塵機３を引き上げ状態で架台上等に載置して保持する。
この場合、年間を通して取水の必要な水路では、凍結に対して破損しにくい、バースクリーン方式等の他の種類の自動防塵機を代わりに設置して、取水を続行して行うことができるようにする。
また、自動防塵機３を再び分岐水路２に設置する場合は、引き上げ時と反対に、巻き上げドラム５０を逆方向に回転駆動すると、巻き上げドラム５０より索条５１が巻き戻され、自動防塵機３をガイドレール４に沿って分岐水路２の所定位置に設置することができる。
【００２１】
図２に本発明の自動防塵装置の一実施例を示す。
この実施例は、自動防塵機３及び引き上げ装置５は、上記参考例の自動防塵装置と基本的に同じ構成を採用し、ガイドレール４０の構成と形状を変更したものである。
この実施例において、ガイドレール４０は、分岐水路２の入口より自動防塵機３を分岐水路２の上方に沿って引き上げ可能なように湾曲させ、分岐水路２の上方位置では、略水平になるように配設する。
そして、自動防塵機３のフレーム３４を、ガイドレール４０に支持されながら移動できるように、ガイドローラ４１を、フレーム３４の長手方向の２個所に配設し、これにより、ガイドレール４０の湾曲部と水平部の間を円滑に移動できるようにする。
【００２２】
そして、引き上げ装置５の索条５１を、上記参考例と同様に、先端を自動防塵機３のフレーム３４に締結し、この索条５１を巻き上げドラム５０に巻き取るように構成するが、この場合、索条５１を、分岐水路２の入口位置より湾曲したガイドレール４０に沿って案内しながら、巻き上げるようにする。
【００２３】
次に、この自動防塵装置の作用について説明する。
図２に示すように、分岐水路２の入口に設置された自動防塵機３を、自動防塵機３が、冬季の凍結や、洪水時に大形の浮遊物体が衝突することによって、破損するおそれがある場合、あるいは、分岐水路２を取水・排水を切り替えて運用する導水路の排水側として使用する場合に、分岐水路２の入口から上方に引き上げる。
この引き上げは、巻き上げドラム５０を駆動することにより、索条５１を巻き取り、これにより、自動防塵機３のフレーム３４をガイドレール４０に沿って引き上げるようにする。そして、分岐水路２の水面上の所定位置まで引き上げることにより、自動防塵機３を、分岐水路２の上方位置において略水平になるように配設したガイドレール４０上に簡易に、かつ、安定して載置することができる。
また、自動防塵機３を再び分岐水路２に設置する場合は、引き上げ時と反対に、巻き上げドラム５０を逆方向に回転駆動すると、巻き上げドラム５０より索条５１が巻き戻され、自動防塵機３をガイドレール４０に沿って分岐水路２の所定位置に設置することができる。
【００２４】
【発明の効果】
本発明の自動防塵装置によれば、自動防塵機を、引き上げ装置により、分岐水路の入口に配設した移動用のガイドレールに沿って、引き上げることができるようにしているので、自動防塵機が、冬季の凍結や、洪水時に大形の浮遊物体が衝突することによって、破損するおそれがある場合には、事前に自動防塵機を分岐水路の入口から上方に引き上げることにより、これらの事故を未然に防止することができ、特に、バースクリーン方式に比べて、冬季の凍結や、洪水時に大形の浮遊物体が衝突することによって破損し易い回転円盤方式の自動防塵装置の耐久性を向上することができる。
また、分岐水路を取水・排水を切り替えて運用する導水路の排水側として使用する場合に、事前に自動防塵機を分岐水路の入口から上方に引き上げることにより、自動防塵機が、排水抵抗とならず、また、取水時にポンプ場内に流入した塵埃を、排水と共に排出することができる。
【００２５】
そして、移動用のガイドレールを、分岐水路の入口より自動防塵機を分岐水路の上方に沿って引き上げ可能なように湾曲した湾曲部と、該湾曲部に連続する水平部とで構成することにより、自動防塵機の引き上げ、再設置が簡易に行え、必要に応じて、自動防塵機の機種を容易に交換することができ、特に、自動防塵機を分岐水路の上方に沿う水平部に引き上げることにより、自動防塵機の保管を簡易に、かつ、安定して行うことができる。
【図面の簡単な説明】
【図１】  自動防塵装置の参考例を示す正面図である。
【図２】  本発明の自動防塵装置の一実施例を示す正面図である。
【図３】  自動防塵機の実施例を示し、（Ａ）は平面図、（Ｂ）は正面図である。
【符号の説明】
１    水路
２    分岐水路
３    自動防塵機
４    ガイドレール
４０  ガイドレール
５    引き上げ装置
５０  巻き上げドラム
５１  索条
【図１】
0003970468.tif 000002
【図２】
0003970468.tif 000003
【図３】
0003970468.tif 000004